(57)【特許請求の範囲】
【請求項１】
植物の根や茎の進入が可能であるとともに植生基盤材を保持することが可能な適宜の幅を有する土留めシートを、所定間隔毎に横方向へ折り曲げて複数の襞部を形成するとともに襞部の折曲部を上方側に向けた状態で前記土留めシートの平面部に弛みを保たせた状態で仮止めし且つ襞部の両端を閉じて、前記襞部と前記弛みを保たせた平面部とでポケットを形成したポケット材を、法面の法肩から法尻に向けて敷設した後、その上に、本木植物の生育に支障がなく落ち葉や種子が通過可能な大きさの網目を有する網体を張設して前記法面上に固定するとともに、前記ポケットを形成する襞部の頂部と前記網体とを緊結して前記ポケットの形状を保持させることを特徴とする法面上における植生用ポケットの形成工法。
【請求項２】
前記ポケットの内側に断熱シートを取り付ける請求項１記載の法面上における植生用ポケットの形成工法。
【請求項３】
前記襞部の適宜位置に横方向に延びる基端辺を縫製して環状にし、その内部に断熱シートを挿入した請求項１記載の法面上における植生用ポケットの形成工法。
【請求項４】
前記襞部の適宜位置に横方向に延びる線材を配設し、前記網体と前記線材とを緊結する請求項２または３記載の法面上における植生用ポケットの形成工法。
【請求項５】
前記ポケット材の前記平面部の適宜位置に横方向に延びる線材を取り付け、これらの線材と前記網体とを緊結する請求項１，２，３または４記載の法面上における植生用ポケットの形成工法。
【発明の詳細な説明】
【０００１】
【発明の属する技術分野】
本発明は、法面に植生基盤を定着させて法面上に植生を図るための工法に関するものであり、特に、法面上に植生基盤を充填させるためのポケットを形成する工法に関するものである。
【０００２】
【従来の技術】
従来より、法面に植生基盤を定着させて法面上に植生を図るための手段の１つとして法面上へ植生基盤を定着させるためのポケットを形成する手段が知られている。
【０００３】
そして、例えば、特許第２８５２８４９号に提示されているように、平面状の網体に、水平方向に適宜間隔で支持材を取り付け、法肩から法尻に向けて吊り下げた吊り下げ材に、網体を弛ませた状態にして支持材を取り付けてポケットを形成するもの（図６参照）、実用新案登録第２５５６８８３号に提示されているように、落ち葉等の落下物が通過する大きさの網目の網体の背面に、植生基盤を留める補助網を、弛みを保たせて所定間隔で取り付けてポケットを形成するもの（図７参照）、特開平１０−１４０５７７号公報に提示されているように、階段金網に組み込んだ枠部材に土留め材を挿入取り込んで植生を行うもので、巻回された形状、Ｖ字状のポケットを形成、通水性の不織布が組み込まれた土留め材を用いるものが知られている。
【０００４】
ところが、特許第２８５２８４９号に提示されている工法は、支持材付きの網体および吊り下げ材は、それぞれロール状に巻回させて運搬することができるが、支持材および吊り下げ材に掛かる荷重が大きいため、これらには強度および剛性の大きな素材が必要であり、材料費が高価であった。加えて、支持材の強度および剛性が大きいことによって、凹凸の大きい法面では、法面の形状に合わせて施工することが困難であった。更に、吊り下げ材を法肩に強固に固定する必要があるため、法肩での工事ができない現場では、設置することができないという問題点を有していた。
【０００５】
また、前記実用新案登録第２５５６８８３号に提示されている工法は、現場の法面上でポケットを形成するのは困難であり、通常は、予めポケットが形成された網体を現場に運搬して施工する方法が採られるが、この網体は極めてかさばるため、運搬しにくくかさばるため、運搬コストが高くついていた。更に、現場でポケットの位置や大きさを設計変更することができないため、法面の凹凸が大きい場合や勾配が一定でない場合には、ポケットが重なり合うことになり設置しにくかった。
【０００６】
更に、特開平１０−１４０５７７号公報に提示されている工法は、土留め材を予め或いは後工程で階段金網に取り付けたものであるため、１つ１つの階段に取り付けるのは困難で手間が掛かるという問題がある。
【０００７】
【発明が解決しようとする課題】
本発明は、上記のような問題点を解決し、運搬が容易であるとともに、法面の形状に左右されずに容易に施工可能であり、且つ低コストな法面上における植生用ポケットの形成工法を提案するものである。
【０００８】
【課題を解決するための手段】
そこで、本発明は、植物の根や茎の進入が可能であるとともに植生基盤材を保持することが可能な適宜の幅を有する土留めシートを、所定間隔毎に横方向へ折り曲げて複数の襞部を形成するとともに襞部の折曲部を上方側に向けた状態で前記土留めシートの平面部に弛みを保たせた状態で仮止めし且つ襞部の両端を閉じて、前記襞部と前記弛みを保たせた平面部とでポケットを形成したポケット材を、法面の法肩から法尻に向けて敷設した後、その上に、本木植物の生育に支障がなく落ち葉や種子が通過可能な大きさの網目を有する網体を張設して前記法面上に固定するとともに、前記ポケットを形成する襞部の頂部と前記網体とを緊結して前記ポケットの形状を保持させることとした。
【０００９】
ポケットを形成するポケット材と網体とを別体とすることによって、運搬が容易であるとともに、ポケット材を法面の形状に合わせて敷設した後に網体を張設することができるので、どのような法面にも適用することができる。
【００１０】
また、ポケット材の襞部の下端辺を縫製して環状にすると、環状部の内部へ断熱シートを挿入するだけで、容易に断熱工事を行うことができる。更に、環状襞部の上端に線材を挿入すれば、ポケットの形状を保持させるとともに、網体へ固定しやすくなる。
【００１１】
更にまた、ポケット材の平面部の適宜位置に線材を取り付けて網体と線材とを緊結することにより、法面の形状等に応じて、植生基盤の形状や量を自在に調整することができる。
【００１２】
【発明の実施の形態】
本発明の実施の形態を図面に基づいて説明する。
【００１３】
図１乃至図３は本発明の好ましい実施の形態を示すものである。
【００１４】
先ず、図１（Ａ）に示すように、例えば細かい網目を有する網、ラッセル網や不織布等のように、伸長する植物の根や茎の進入が可能で、且つ客土や堆肥等の植生基盤材を保持可能な適宜の幅を有する土留めシート１を、所定間隔毎に横方向へ折り曲げて複数の襞部２を順次形成するとともに、各襞部２の上方側の内側面および襞内に断熱シート３を取り付け、更に、各襞部２における折曲部２１の近傍に折曲部２１に沿って横方向へ延びる線材４を配置、固定する。
【００１５】
そして、例えば図１（Ｂ）に示すように、襞部２の折曲部２１を上方側に向け状態で平面部２２に弛みを保たせた状態で仮止めし且つ各襞部２の両端２３，２４を閉じて、各襞部２と弛みを保たせた平面部２２との間隙にポケット５を形成したポケット材６を作成する。尚、前記仮止めは、例えば手で切断可能か或いはミシン目や切れ目等のように容易に切断可能とした手段を施した糸や帯等、或いは弱い結合力で接着させる等、現場で施工する際に、特殊な道具を使わなくても容易に仮止めを解除することができるものが好ましい。
【００１６】
また、ポケット材６における、襞部２の幅や形成間隔は、施工する法面の傾斜や表面の状況、更には長さなどに応じて適宜変化させると効率が良く、複数種類を予め用意しておいたものから適宜選択するか、施工する法面に適したものを独自に作成する。
【００１７】
このようにして製造されたポケット材６は、例えば巻回された状態、或いは適宜の長さに折り畳んだ状態で保管され、また、現場に運搬される。
【００１８】
そして、図２（Ａ）に示すように、最初に例えば巻回状のポケット材６の上端辺６１を、例えばアンカ７などにより法面８の法肩８１付近に固定して法尻方へと展開し、図２（Ｂ）に示すように、法面８上に敷設する。
【００１９】
次に、図２（Ｃ）に示すように、前記法面８に敷設したポケット材６上の適宜間隔を有した位置に設置されるように、例えば金網等からなる網体９を張設し、アンカー１０を用いて法面８上に固定する。更に、図２（Ｄ）に示すように、前記襞部２の仮止めを解除しながら各襞部２と弛みを保たせた平面部２２との間隙ならびに閉じた両端部２３，２４とで所定形状のポケット５が形成されるように緊結位置を調節しながら線材４と網体９とを紐や接続金具等を用いて緊結する。こうして、法面８上に多数のポケット５が並設されるので、各ポケット５内に、図２（Ｅ）に示すように、植生基盤材１１を充填する。
【００２０】
尚、本実施の形態では、ポケット材６は襞部２の近傍に配設した線材４を介して配設されているので、ポケット材６と網体９とを少ない緊結部で強固に固定されるうえ、ポケット５の形状が安定するので施工作業が簡単迅速に行え、安定した状態でポケット５を形成することができる。
【００２１】
また、本実施の形態では、襞部２における折曲部２１の近傍に線材４を配設したが、図３に例示するように、襞部２の他の部分、或いはポケット材６の平面部２２の任意の位置に設置してもよく、このようにすることにより、自在にポケットの形状を調整することができることから、法面８の凹凸が大きい場合や勾配が一定でない場合にも対応させることができるばかりか、ポケット５の大きさを自由に調整することができることから法面の状況や使用目的にあわせて植生基盤材の量を調整できることも可能で、経済的にも優れている。
【００２２】
更に、本実施の形態では、線材４をポケット部材６の予め定めた位置に配設したが、現場における施工時に法面の凹凸や勾配等に応じてポケットの位置や大きさを調整しながら所望位置に取り付けても良く、更に、きめ細かい作業を簡単に行うことができる。
【００２３】
更に、前記ポケット材６の上方に張設される網体９には、各ポケット５内に植栽した植物が伸長した際、植物の生育に支障がなく落ち葉や種子等の落下物を通過させて植生基盤１１内に取り込めるように、落下物が通過可能な大きさの網目を有するものが用いらる。
【００２４】
図４は本発明の異なる実施の形態を示すものであり、ポケット材６の襞部２の基端辺を縫製して、襞部２を環状に形成するものである。そのため、環状の襞部２の内部へ断熱シート３を挿入するだけで固定することなしに且つ施工時にも位置ずれや外れる心配がなく、容易に断熱工事を行うことができる。更に、環状の襞部２の上端に線材４を挿入すれば、ポケット５の形状を保持させるとともに、網体９へ固定しやすくなる。
【００２５】
更に、図５は本発明を法枠８１内に施工する場合の実施の形態を示すものであり、ポケット材６を法面８の奥行きに応じて設置し網体９を固定することができるので法面８の奥行きに応じた設置が可能である。また、ポケット材６を適宜寸法で作成することによって、法枠８１の大きさや深さに応じて自在にポケット５を形成することが可能である。
【００２６】
【発明の効果】
本発明によると、ポケットを形成するポケット材と網体とが別体になっているので、保管ならびに運搬時にかさばることがなく、運搬コストを低くおさえることができる。
【００２７】
しかも、ポケット材の製造や現場での取り付けに関して特殊な技術や道具等を必要とせず、誰にでも容易に実施することができ、ポケット材と網体とが別体になっているので横方向に広がっている法面に対しても対処しやすい。
【００２８】
また、網体の設置高さやポケット体と網体との固定位置等を調整することによって、ポケットの大きさや網体の目などを法面の凹凸や勾配の変化等、現場の状況に容易に適応することができる。
【００２９】
更に、ポケット材に線材を取り付けて網体と線材とを緊結することにより少ない緊結個所で強固に固定されるので施工作業が簡単且つ短時間で済むだけでなく、ポケットの形状も安定しやすい。
【００３０】
更にまた、法枠内に施工する場合に、ポケット材を法面の奥行きに応じて設置し網体を固定することができるので法面の奥行きに応じた設置が可能である。また、ポケット材を適宜寸法で作成することによって、法枠の大きさや深さに応じて自在にポケットを形成することも可能である。
【図面の簡単な説明】
【図１】本発明で用いられるポケット材の好ましい実施の形態を示す説明図。
【図２】本発明における実施の形態を示す説明図。
【図３】本発明おける線材の取付位置を示す説明図。
【図４】本発明で用いられるポケット材の異なる実施の形態を示す説明図。
【図５】本発明の更に異なる実施の形態の一工程を示す説明図。
【図６】従来例を示す説明図である。
【図７】従来例を示す説明図である。
【符号の説明】
１  土留シート、２  襞部、３  断熱シート、４  線材、５  ポケット、６  ポケット材、８  法面、９  網体、１１  植生基盤材、２１折曲部、２２  平面部、２３，２４  両端
【図１】
0003561752.tif 000002
【図２】
0003561752.tif 000003
【図３】
0003561752.tif 000004
【図４】
0003561752.tif 000005
【図５】
0003561752.tif 000006
【図６】
0003561752.tif 000007
【図７】
0003561752.tif 000008